(57)【要約】【課題】リモコンのスイッチ操作の入／切に応じて、機器本体から電源供給を遮断し、リモコンの待機電力の低減を実現する。【解決手段】信号伝送路を兼ねる電源供給路８と、リモコン７の全般を制御する制御手段２と、前記電源供給路８と前記制御手段２の間に位置し、スイッチ操作によって制御手段に電源を供給するためのスイッチ手段１と、前記制御手段２が電源供給によって動作を始めるのと同時に電源保持出力を行う電源供給保持出力手段９と、前記制御手段２の動作開始後、スイッチ手段１によって運転切り状態になった時点から所定時間経過後、前記電源供給保持出力手段９の電源保持出力を停止する電源停止手段とを設け、機器本体が待機状態の場合のリモコンの待機電力を低減することができる。【選択図】図１
2006105500.tif 000002
【特許請求の範囲】
【請求項１】
給湯器を遠隔操作するリモコンにおいて、信号伝送路を兼ねる電源供給路と、リモコンの全般を制御する制御手段と、前記電源供給路と前記制御手段の間に位置し、スイッチ操作によって制御手段に電源を供給するためのスイッチ手段と、前記制御手段が電源供給によって動作を始めるのと同時に電源保持出力を行う電源供給保持出力手段と、前記制御手段の動作開始後、スイッチ手段によって運転切り状態になった時点から所定時間経過後、前記電源供給保持出力手段の電源保持出力を停止する電源停止手段とを設けた遠隔操作リモコン。
【請求項２】
スイッチ手段は、運転スイッチとした請求項１に記載の遠隔操作リモコン。
【請求項３】
スイッチ手段は、リモコンに搭載した複数個の全てのスイッチとした請求項１に記載の遠隔操作リモコン。
【発明の詳細な説明】
【技術分野】
【０００１】
本発明は、ガスや石油等を燃料とする給湯器や電気温水器のリモコン関するものである。
【背景技術】
【０００２】
従来のこの種リモコンは、機器本体の制御器と信号伝送路を兼ねた電源供給路によって接続され、リモコンは機器本体より供給される電源によって常時動作し、遠隔操作ができるように構成されている（例えば、特許文献１参照）。
【特許文献１】特開平５−３４４５６７号公報（図２）
【発明の開示】
【発明が解決しようとする課題】
【０００３】
しかしながら上記従来のリモコンは、機器本体の運転中、待機中の動作状態に関係なく常時動作し続け、動作に応じたて常に電力を消費し、待機電力低減の妨げになるという課題を有していた。
【０００４】
本発明は上記課題を解決するもので、スイッチ手段による操作によって制御手段に電源供給すると同時に、電源供給保持出力手段によって電源保持出力を出し、スイッチ手段の運転切り状態から所定時間経過後電源停止手段によって電源保持出力を停止して、リモコンへの電源供給を遮断することで待機電力を低減することを目的とする。
【課題を解決するための手段】
【０００５】
前記従来の課題を解決するために、本発明のリモコン装置は、信号伝送路を兼ねる電源供給路と、リモコンの全般を制御する制御手段と、前記電源供給路と前記制御手段の間に位置し、スイッチ操作によって制御手段に電源を供給するためのスイッチ手段と、前記制御手段が電源供給によって動作を始めるのと同時に電源保持出力を行う電源供給保持出力手段と、前記制御手段の動作開始後、スイッチ手段によって運転切り状態になった時点から所定時間経過後、前記電源供給保持出力手段の電源保持出力を停止する電源停止手段とを設けたものである。
【０００６】
これによって、機器本体を運転したい場合、リモコンのスイッチを操作し、電源供給すると同時にリモコンの動作が始まり、機器本体を停止し、待機状態にする場合、運転切り状態から所定時間経過後、電源供給を停止しできる。
【発明の効果】
【０００７】
本発明のリモコン装置は、機器本体が待機状態では、リモコンの電源供給を遮断し、必要最小限の電力消費となり、待機電力を大幅に削減することができる。
【発明を実施するための最良の形態】
【０００８】
第１の発明は、信号伝送路を兼ねる電源供給路と、リモコンの全般を制御する制御手段と、前記電源供給路と前記制御手段の間に位置し、スイッチ操作によって制御手段に電源を供給するためのスイッチ手段と、前記制御手段が電源供給によって動作を始めるのと同時に電源保持出力を行う電源供給保持出力手段と、前記制御手段の動作開始後、スイッチ手段によって運転切り状態になった時点から所定時間経過後、前記電源供給保持出力手段の電源保持出力を停止する電源停止手段とを設け、動作中は電源供給し、待機中は電源供給を停止することができる。
【０００９】
第２の発明は、電源供給用のスイッチ手段を運転スイッチとすることにより、運転スイッチの入り操作で電源供給・動作を行い、運転スイッチの切り操作で電源供給・動作停止を行うことができ、使い勝手を向上することができる。
【００１０】
第３の発明は電源供給用のスイッチ手段をリモコンに実装される全てのスイッチとすることにより、運転スイッチを搭載しないリモコンや、機器本体の動作に関係しないリモコン独自の設定等の操作を行う場合、入り操作で電源供給・動作を行い、切り操作で電源供給・動作停止を行うことができ、使い勝手を向上することができる。
【００１１】
以下、本発明の実施形態について、図面を参照しながら説明する。
【００１２】
なお、本実施の形態によって、本発明が限定されるものではない。
【００１３】
（実施の形態１）
図１は、本発明の第１の実施の形態における遠隔操作リモコンの回路図である。
【００１４】
図１において、６は機器本体、７はリモコン、８は電源供給路、９は電源供給保持手段、１は遠隔操作リモコン内の操作スイッチであり、例えば運転スイッチあるいはリモコンに搭載した複数個の全てのスイッチに割付けられる。２は遠隔操作リモコン内の制御マイコンである。操作スイッチ１を押すと、制御マイコン２のＶｄｄへ電源が供給され、運転入り状態として制御マイコンが動作を始める。同時に、制御マイコンの出力ポートＰ１よりトランジスタ４への電源供給保持出力としてのＯＮ信号が出力され、トランジスタ４とトランジスタ３がＯＮし、操作スイッチ１がＯＦＦしても、制御マイコンへの電源供給が継続でき、リモコンは動作を継続することができる。
【００１５】
一方、操作スイッチ１を再度操作すると、ポートＰ２より操作スイッチの操作を読み取り、運転切り操作を判断する。運転切り操作になると、所定時間Ｔをカウントするタイマー手段５のカウントダウンを開始し、所定時間経過時点で電源供給保持出力をＯＦＦし、制御マイコン２への電源供給を停止する。
【００１６】
よって、機器本体が待機状態では、リモコンの電源供給を遮断し、必要最小限の電力消費となり、待機電力を大幅に削減することができる。
【産業上の利用可能性】
【００１７】
以上のように、本発明にかかる遠隔操作リモコンの電源供給の入切制御は、機器本体が待機状態では、リモコンの電源供給を遮断し、必要最小限の電力消費となり、待機電力を大幅に削減することができるので、給湯器以外のリモコンを持つ機器の用途にも適用できる。
【図面の簡単な説明】
【００１８】
【図１】本発明の第１の実施の形態における遠隔操作リモコンの回路図
【図２】従来の遠隔操作リモコンの構成図
【符号の説明】
【００１９】
１  操作スイッチ（スイッチ手段）
２  制御マイコン（制御手段）
３  トランジスタ
４  トランジスタ
５  タイマー手段
６  機器本体
７  リモコン
８  電源供給路
９  電源供給保持手段
【図１】
2006105500.tif 000003
【図２】
2006105500.tif 000004